(57)【特許請求の範囲】
【請求項１】
円板状をなし、中央部に回転軸を挿入する挿入孔を有する挿入部を備え、円板状の回転刃に前記挿入部の一面を当接させて、前記回転刃を前記回転軸に同軸的に固定する固定具において、
円筒状をなし、前記挿入部の他面に突設された嵌合部と、
前記嵌合部に外嵌される軸受と、
円筒状をなし、前記軸受に外嵌され、前記回転刃側に径方向外向きに突出した凸部を有するカバーと、
環状をなし、前記カバーに外嵌され、前記凸部の前記回転刃と反対側の面に取り付けられ、外周部が前記回転刃の外周よりも内側で、前記凸部より外側に位置し、前記回転刃による切断の対象面に接触することで切断の深さを規定する規定部と
を備えることを特徴とする固定具。
【請求項２】
前記軸受は、転がり軸受であることを特徴とする請求項１に記載の固定具。
【請求項３】
前記凸部は、フランジであることを特徴とする請求項１又は２に記載の固定具。
【請求項４】
前記規定部は、前記凸部に着脱可能に取り付けてあることを特徴とする請求項１から３までのいずれか一つに記載の固定具。
【請求項５】
前記挿入部は、挿入孔の周囲に複数の孔が貫設され、前記一面の外縁部にて、放射状であり、径方向に対して所定角度で傾斜させてある複数の溝が設けられていることを特徴とする請求項１から４までのいずれか一つに記載の固定具。
【請求項６】
請求項１から５までのいずれか一つに記載の固定具を備えることを特徴とする切断装置。
【発明の詳細な説明】
【技術分野】
【０００１】
本発明は、回転刃を回転軸に固定する固定具及び該固定具を備える切断装置に関する。
【背景技術】
【０００２】
コンクリート舗装又はアスファルト舗装された道路の補修現場においては、既存の舗装面を切断する切断装置が使用される。この切断装置は、円板状をなす回転刃をエンジン駆動される回転軸に取り付け、前記回転刃の外周に設けた刃を舗装面に押し付けて切断する構成となっている。回転刃は、昇降可能であり、舗装面の切断深さは、回転刃の下降量を加減することで調整される。この調整は、一般的に作業者の手作業により行われるが、例えば、橋梁、高速道路等の補修現場においては、舗装面の下に存在する構造物と回転刃との接触を防止するために切断深さを正確に調整する必要がある。
【０００３】
特許文献１には、回転刃を備える切断装置において、切断深さの調整を可能とする方法が記載されている。この切断装置は、回転刃の一側に突出する回転軸の先端部に前記回転刃よりも小径の円板を同軸的に固定した構成となっている。舗装面の切断時に回転刃が一定量下降した場合、前記円板が舗装面に接触する。これにより、回転刃による舗装面の切断の深さを調整することができる。
【先行技術文献】
【特許文献】
【０００４】
【特許文献１】特開２００２−３２２８９７号公報
【発明の概要】
【発明が解決しようとする課題】
【０００５】
しかしながら、特許文献１に記載された構成では、円板は回転軸に固定されているため、回転軸と共に回転する。したがって、所定の深さまで路面を切断し、円板が路面に接触すると、摩擦により円板が摩耗するという問題が存在する。
【０００６】
本発明は、斯かる事情に鑑みてなされたものであり、その目的とするところは、回転刃による舗装面の切断の深さを規定する規定部が回転によって摩耗しない構成である回転刃の固定具及び該固定具を備える切断装置を提供することにある。
【課題を解決するための手段】
【０００７】
本発明に係る固定具は、円板状をなし、中央部に回転軸を挿入する挿入孔を有する挿入部を備え、円板状の回転刃に前記挿入部の一面を当接させて、前記回転刃を前記回転軸に同軸的に固定する固定具において、円筒状をなし、前記挿入部の他面に突設された嵌合部と、前記嵌合部に外嵌される軸受と、円筒状をなし、前記軸受に外嵌され、前記回転刃側に径方向外向きに突出した凸部を有するカバーと、環状をなし、前記カバーに外嵌され、前記凸部の前記回転刃と反対側の面に取り付けられ、外周部が前記回転刃の外周よりも内側で、前記凸部より外側に位置し、前記回転刃による切断の対象面に接触することで切断の深さを規定する規定部とを備えることを特徴とする。
【０００８】
本発明によれば、軸受は挿入部に突設された嵌合部に外嵌され、カバーは軸受に外嵌されている。また、切断の深さを規定する規定部はカバーの凸部に取り付けられている。したがって、切断装置が作動し、回転軸が回転している場合に、規定部が切断の対象面と接触したとき、規定部と切断の対象面との接触による摩擦力により、規定部は回転しない。      
【０００９】
本発明に係る固定具は、前記軸受は、転がり軸受であることを特徴とする。
【００１０】
本発明によれば、軸受は、転がり軸受であるので、滑らかに回転する。
【００１１】
本発明に係る固定具は、前記凸部は、フランジであることを特徴とする。
【００１２】
本発明によれば、凸部がフランジであるので規定部との接触面積が増加し、カバーに取り付けられた規定部が安定する。
【００１３】
本発明に係る固定具は、前記規定部は、前記凸部に着脱可能に取り付けてあることを特徴とする。
【００１４】
本発明によれば、規定部はカバーの凸部に着脱可能であるので、任意の径の規定部をカバーに取り付けることができる。
【００１５】
本発明に係る固定具は、前記挿入部は、挿入孔の周囲に複数の孔が貫設され、前記一面の外縁部にて、放射状であり、径方向に対して所定角度で傾斜させてある複数の溝が設けられていることを特徴とする。
【００１６】
本発明によれば、挿入部には、挿入孔の周囲に複数の孔が貫設されている。また、挿入部には一面の外縁部にて、放射状であり、径方向に対して所定角度で傾斜させてある複数の溝が設けられている。したがって、固定具に供給される水は、挿入部の複数の孔を通過し、複数の溝から水を流れ出て、回転刃に流れる。
【００１７】
本発明に係る切断装置は、上述の固定具を備えることを特徴とする。
【００１８】
本発明によれば、切断装置は上述の固定具を備えるので、切断の対象を所定の深さまで切断することができる。
【発明の効果】
【００１９】
回転刃により一定の深さまで路面を切断し、規定部が切断の対象面に接触した場合、規定部と切断の対象面との間の摩擦力により規定部は回転しないので、規定部と路面との摩擦による摩耗を防止できる。
【００２０】
また、軸受は、転がり軸受であるので、滑らかに回転させることができる。規定部をフランジに取り付けることで、凸部と規定部の接触面積が増加し、規定部の取付を安定させることができる。規定部はカバーに着脱可能であるので、任意の径の規定部を選択し、路面を切断する深さを調整することができる。
【００２１】
更に、固定具に供給される水は、挿入部の複数の孔を通過し、複数の溝から流れ出て、回転刃に流れる。これにより、切断時の摩擦により高温となった回転刃を冷却することができる。
上述の固定具を備える切断装置は、切断の対象を所定の深さまで切断することができる。
【図面の簡単な説明】
【００２２】
【図１】実施の形態に係る切断装置の要部を示す側断面図である。
【図２】実施の形態に係る固定具の正面図である。
【図３】押え体の背面図である。
【発明を実施するための形態】
【００２３】
以下、本発明に係る回転刃の固定具についてその実施の形態を示す図面に基づいて詳述する。図１は、実施の形態に係る切断装置の要部を示す側断面図である。本図に示す様に、切断装置は、回転刃１、該回転刃１を回転駆動する回転軸２、及び該回転軸２に前記回転刃１を固定する固定具３を備える。
【００２４】
回転刃１は、薄肉円板状をなし、外周の全周に形成された切刃と、中心部に貫通形成された軸挿通孔１ａとを備えている。また、回転刃１は、軸挿通孔１ａ付近に貫通孔１ｂを備える。回転軸２は、切断装置本体に装備されたエンジン等の駆動源（図示せず）により回転駆動されるようになしてあり、該回転軸２の先端部分には、押え円板２ａが設けられている。また、回転軸２は押え円板２ａに突設され、回転刃１の軸挿通孔１ａの嵌合が可能な小径部２ｂと該小径部と同軸をなし、外周にねじが形成されたねじ軸２ｃとを有する。
【００２５】
回転刃１は、後述する構成を有する固定具３を一面に重ね、該固定具３と共に軸挿通孔１ａを介して小径部２ｂに他面側から外嵌されている。また回転刃１は、固定具３の外側に突出するねじ軸２ｃにナット４が螺合し、該ナット４を締め付けることにより、前記固定具３と押さえ円板２ａとの間に挟持固定されている。
【００２６】
回転刃１と回転軸２との相対回転は、例えば、前者の軸挿通孔１ａと後者の小径部２ｂとの嵌合部に設けたスプラインにより、また回転刃１と固定具３との相対回転は、押え円板２ａから突出する位置決めピン２ｄにより夫々拘束されており、前述のごとく固定された回転刃１は、回転軸２の回転に応じて同軸上にて回転する。位置決めピン２ｄは貫通孔１ｂに挿入される。また回転刃１は、切断装置本体に設けた昇降機構（図示せず）の動作により、回転軸２と共に昇降（径方向に移動）可能である。
【００２７】
以上のごとく構成された切断装置は、図１に示す如く、切断対象となる舗装面５に回転する回転刃１の外周の切刃をあて、該切刃により、舗装面５を切断すべく使用される。回転刃１による舗装面５の切断深さは、回転刃１の下降量を変更することで調節される。
【００２８】
固定具３は、回転刃１の一面に当接する押え体１０を備える。押え体１０は、円板状をなし、回転軸２が挿入される挿入部１１と、円筒状をなし、挿入部１１の一面に軸心を同一にして突設される嵌合部１２とを有する。
【００２９】
図２は、実施の形態に係る固定具３の正面図であり、図３は、押え体１０の背面図である。図２及び図３に示す様に、挿入部１１には中央部に軸線方向に貫通する挿入孔１１ａが設けられている。挿入孔１１ａには、小径部２ｂ及びねじ軸２ｃが挿入される。また、押え体１１には、篏合部１２よりも径方向内側にて、挿入孔１１ａの周囲に八つの貫通孔１１ｂが周方向に各々等間隔となるように設けられている。挿入部１１の背面には、孔１１ｂの形成範囲を含めて環状の凹部１３が周設されている。
【００３０】
更に、凹部１３にて貫通孔１１ｂより径方向内側に挿入部１１を軸線方向に貫通する単一の孔１１ｃが設けられている。孔１１ｃには位置決めピン２ｄが挿入される。
【００３１】
挿入部１１の凹部１３の外側を縁取る外縁部には、十六本の溝１４が形成されている。溝１４の内、八本は、挿入部１１の中心点と、八つの貫通孔１１ｂの内の、任意の一つの孔の夫々の中心点とを結ぶ仮想線に対して背面から見て時計回りに４５度の角度をなし、前記任意の一つの孔夫々の中心点を通る仮想線に沿って設けられている。更に、残りの八本は、前記八本の溝夫々の間に等間隔で、径方向に対して４５度の角度をなすように設けられている。溝１４は、回転刃１を固定具３により回転軸２に固定した場合、回転刃１との間に通水路を形成する。
【００３２】
貫通孔１１ｂ及び溝１４により、切断時の摩擦により高温となった回転刃１を冷却するための水が供給される。水は固定具３の正面から供給され、貫通孔１１ｂを通過し、凹部１３と回転刃に囲われる部分にたまり、遠心力により前記通水路を通って回転刃１に送られる。したがって、貫通孔１１ｂ及び溝１４により、効率良く水を回転刃１に流し、回転刃１を冷却することができる。
【００３３】
固定具３は嵌合部１２に外嵌される軸受２０を備える。軸受２０は外輪２１及び内輪２２に転動体２３を介装してなる転がり軸受である。軸受２０は、転動体２３の両側にシール部２４を備える。外輪２１、内輪２２、及びシール部２４に囲まれる領域にグリスが封入されている。シール部２４により、転動体２３の回転のためのグリスが外に漏れない。
【００３４】
嵌合部１２の正面側の外周には、凹溝１２ａが周設されている。軸用止め輪１２ｂが凹溝１２ａに外嵌される。軸受２０の内輪２２は軸用止め輪１２ｂ及び挿入部１１の正面に挟持される。
【００３５】
固定具３は、カバー３０及び軸受保持板４０を備える。カバー３０は円筒状をなし、軸受２０に外嵌される。カバー３０には、背面側に、径方向外向きに突出したフランジ３０ａが設けられ、正面側に径方向内向きに突出した凸部３０ｂが周設されている。フランジ３０ａには、軸線方向を貫通する四つのねじ孔と四つのねじ挿通孔とが、周方向に等間隔で交互に設けられている。
【００３６】
軸受保持板４０は、軸線方向に貫通し、周方向に等間隔の四つのねじ孔を有する。軸受保持板４０は、ボルト４０ａがフランジ３０ａの四つのねじ挿通孔夫々を通り、軸受保持板４０の四つのねじ孔夫々に螺合することにより取り付けられている。
【００３７】
軸受保持板４０は環状をなし、軸受保持板４０の内径はカバー３０の内径よりも小さい。また、軸受保持板４０は、フランジ３０ａの背面に、フランジ３０ａ及び軸受保持板４０の外周が揃うように取り付けられている。したがって、カバー３０及び軸受保持板４０の内径の差により凸部４０ｂが形成される。軸受２０の外輪２１は、凸部３０ｂ及び４０ｂにより挟持されている。
【００３８】
固定具３は、環状のゲージディスク５０を備える。ゲージディスク５０は切断の深さを規定する規定部として機能する。ゲージディスク５０は、軸線方向に貫通し、周方向に等間隔の四つのねじ挿通孔が設けられ、内周から径方向外側に向けて設けられた四つの凹部５１を等間隔に有する。
【００３９】
ゲージディスク５０はカバー３０の円筒部分に外嵌され、ボルト５０ａがゲージディスク５０の前記四つのねじ挿通孔夫々を通り、フランジ３０ａのねじ孔夫々に螺合することにより、フランジ３０ａの正面に取り付けられる。また、ゲージディスク５０は、ボルト４０ａが凹部５１に位置するように、カバー３０に取り付けられる。
【００４０】
ゲージディスク５０の外周部は、フランジ３０ａの外周よりも径方向外側に位置し、回転刃２の外周よりも径方向内側に位置するようにしてある。ゲージディスク５０はフランジ３０ａに着脱可能である。
【００４１】
以下、本実施の形態に係る切断装置の動作について説明する。回転軸２の回転により、回転刃１及び固定具３が回転する。回転方向は、図２及び図３の矢印に示すように正面から見て時計回りである。昇降機構により、回転刃１を下降させ、外周の切刃が接することで舗装面が切断される。
【００４２】
また、前述のとおり、水は固定具３の正面から供給され、貫通孔１１ｂを通過し、凹部１３と回転刃に囲われる部分にたまり、遠心力により前記通水路を通って回転刃１に送られる。したがって、効率良く水を回転刃２に流し、回転刃２を冷却することができる。
【００４３】
回転刃１を一定量下降させ、回転刃１により所定の深さまで路面が切断されると、ゲージディスク５０が路面に接触する。この場合、ゲージディスク５０は、舗装面５との接触による摩擦力により、回転しない。
【００４４】
以上の構成では、軸受２０は挿入部１１に突設された嵌合部１２に外嵌され、カバー３０は軸受２０に外嵌されている。また、ゲージディスク５０はカバー３０のフランジ３０ａに取り付けられている。回転刃２により一定の深さまで舗装面５を切断し、ゲージディスク５０が舗装面５に接触した場合、ゲージディスク５０と舗装面５との間の摩擦力によりゲージディスク５０は回転しないので、ゲージディスク５０と舗装面５との摩擦による摩耗を防止できる。
【００４５】
また、ゲージディスク５０が舗装面５に接触することにより、作業者は舗装面５を所定の深さまで切断したことがわかる。したがって、固定具３を用いた切断装置により舗装面５を所定の深さまで切断することができる。
【００４６】
軸受２０は、転がり軸受であるので、滑らかに回転する。フランジ３０ａは、ゲージディスク５０との接触面積が多く、ゲージディスク５０の取付が安定する。なお、ゲージディスク５０を固定できれば、カバー３０がフランジ３０ａでなく、径方向外向きに突出した凸部を複数有し、ゲージディスク５０を該凸部に取り付ける構成としてもよい。
【００４７】
ゲージディスク５０はカバー３０のフランジ３０ａに着脱可能であるので、任意の径のゲージディスク５０をカバー３０に取り付けることができる。これにより、舗装面５を任意の深さまで切断できる。
挿入部１２には、挿入孔１１ａの周囲に貫通孔１１ｂが設けられている。また、挿入部１２には背面の外縁部にて、溝１４が設けられている。したがって、固定具３に供給される水は、貫通孔１１ｂを通過し、溝１４から流れ出て、回転刃１に流れる。これにより、切断時の摩擦により高温となった回転刃１を冷却することができる。
【００４８】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００４９】
１  回転刃
２  回転軸
３  固定具
１１  挿入部
１１ａ  挿入孔
１１ｂ  貫通孔
１２  嵌合部
１４  溝
２０  軸受
３０  カバー
３０ａ  フランジ
５０  ゲージディスク
【要約】
【課題】回転刃による舗装面の切断の深さを規定する規定部が回転によって摩耗しない構成である回転刃の固定具及び該固定具を備える切断装置を提供することにある。
【解決手段】回転刃１は、回転軸２に取り付けられ、押え円板２ａ及び固定具３に挟持固定されている。固定具３は、押え体１０、軸受２０及びカバー３０を備える。押え体１０は、挿入部１１及び嵌合部１２を有する。軸受２０は挿入部１１に接合された嵌合部１２に外嵌され、カバー３０は軸受２０に外嵌されている。また、カバー３０はフランジ３０ａを有し、該フランジ３０ａにゲージディスク５０が着脱可能に取り付けられる。ゲージディスク５０は、切断の深さを規定する規定部として機能する。
【選択図】図１【図１】
0005777780.tif 000002
【図２】
0005777780.tif 000003
【図３】
0005777780.tif 000004